(57)【要約】【課題】小風量の集塵機等であっても、ダクト内に塵埃を残存させることなく、ダクト内面を均一に清掃できるようにするとともに、吹き流し式清掃装置の帯状ヒダをダクト内面に対して効果的に接触させるようにする。【解決手段】前後端面が共に開放され筒状を成すとともに、後方側部分に周方向に亘り多数の帯状ヒダ２ｂ、２ｂ…が形成され、かつ前端側に紐状部材４，４…を介して牽引ロープ５が連結された吹き流し式ダクト清掃装置本体２と、この吹き流し式ダクト清掃装置本体２の筒状体内部に設けられ、かつ前端側が開口されるとともに、後端側が実質的に閉鎖された内袋３とからなる。【選択図】  図１
2005007223.tif 000002
【特許請求の範囲】
【請求項１】
前後端面が共に開放され筒状を成すとともに、後方側部分に周方向に亘り多数の帯状ヒダが形成され、かつ前端側に紐状部材を介して牽引索が連結された吹き流し式ダクト清掃装置本体と、この吹き流し式ダクト清掃装置本体の内部側に設けられ、かつ前端側が開口されるとともに、後端側が実質的に閉鎖された内袋とからなることを特徴とするダクト清掃装置。
【請求項２】
前記吹き流し式ダクト清掃装置本体は、前端側から後端側にかけて口径が漸次拡大された形状を成している請求項１記載のダクト清掃装置。
【請求項３】
前記内袋は前記吹き流し式ダクト清掃装置本体の前端部に一端が連結された複数の紐状部材を介して支持され、かつ前端側から後端側にかけて口径が漸次拡大される拡径部を有する袋形状を成している請求項１，２いずれかに記載のダクト清掃装置。
【請求項４】
前記吹き流し式ダクト清掃装置本体および内袋は、その外形状をダクト形状に対しほぼ相似形としてある請求項１〜３いずれかに記載のダクト清掃装置。
【請求項５】
前記牽引索の連結側端部に連結用リングが設けられ、前記吹き流し式ダクト清掃装置本体の前端部開放面に架け渡された１又は複数の紐状部材が前記連結用リングに挿通されている請求項１〜４いずれかに記載のダクト清掃装置。
【発明の詳細な説明】
【０００１】
【発明の属する技術分野】
本発明は、ダクト内面の塵埃を除去する吹き流し状のダクト清掃装置に係り、詳しくは小風量の集塵機等により効果的にダクト内清掃が可能なダクト清掃装置に関する。
【０００２】
【従来の技術】
ダクト清掃は、ダクト内面に付着した塵埃をダクトより剥離させる作業と、この塵埃を集塵する作業との２つの手順により行われている。
【０００３】
前者の「塵埃をダクトから剥離させる作業」方法としては、下記特許文献１に記載されるように、吹き流し式清掃用具の帯状ヒダをはためかせて叩き落とす方法、具体的には、図７に示されるような、枠体３１と、前記枠体３１の後端部側に一体的に形成された多数の帯状ヒダ３２、３２…と、前記枠体３１を牽引するロープ３３とから主に構成された吹き流し式清掃用具３０をダクト３４内に挿入し、集塵機等によりダクト内に風量を与えながら前記牽引ロープ３３を操作することにより移動させ、前記帯状ヒダ３２により前記ダクト３４の内壁を叩いて塵埃を落とす方法や、下記特許文献２，３に記載されるように、清掃用具に取り付けられたブラシで摺り落とす方法、清掃用具先端に取り付けられたチューブにより叩き落とす方法、風船状の清掃用具により周囲を流れる高速気流を利用して吹き飛ばす方法等がある。
【０００４】
また、後者の「塵埃を集塵する作業」方法としては、空気圧により塵埃を押し出して行き、ダクト開口部に取り付けられたフィルターにより集塵する方法、ダクトに取り付けられた集塵機により吸引集塵する方法等がある。
【０００５】
【特許文献１】
特公平３−４４８３７号公報
【特許文献２】
特開昭５８−１７０５８４号公報
【特許文献３】
特開昭５９−４９８８７号公報
【０００６】
【発明が解決しようとする課題】
前記吹き流し式清掃用具の場合には、前記清掃用具が集塵機運転によって自然発生する乱気流を動力源としている。しかしながら、ダクト内面の摩擦抵抗により、ダクトの中心部の流速が早くなり中央に近付くほど圧力が低くなるため、吹き流しの帯状ヒダが中央側に向かって集束する傾向を示し、帯状ヒダを効果的にダクト内面に接触させることができないという問題があった。
【０００７】
また、集塵機によってダクト内部に流す風の速度は、通常の空調運転時の送風の速度より速くなければならないため、大風量かつ高風圧を発生させることのできる大型集塵機が必要となるが、このような大型機材をビル内に持ち込むことは現実には困難であり、小型の集塵機を数多く搬入して作業に当たっている。しかし、ダクトは通常、狭い天井内に隠蔽されているため、小型集塵機を所望の箇所に設置すること、および十分な数の小型集塵機を設置することが実際には困難であるため、往々にして集塵能力が不足してしまい、必要とされる風速を発生できず、ダクト内部に塵埃を残存させてしまう結果を招来していた。
【０００８】
さらに、ダクト系統には清掃作業を行う上で障害となる曲がり部分が多数存在するが、ブラシ、チューブならびに風船状の清掃用具では、ダクトに設けた作業口より先端部に取り付けられた清掃用具を押し込みながら前へ進ませる構造であるため、ピアノ線などの硬い鉄線をエアーホースに添える必要があり、それゆえにダクト曲がり部分の外周側内壁が障壁となって清掃用具を通過させること自体が困難となる。特に、２箇所以上の曲がりが連続した部分では通過が不可能であった。
【０００９】
この点に関し、前記吹き流し式清掃用具の場合には、牽引ロープの先端部に取り付けた清掃用具を、集塵機で発生させた気流で吸い込ませる構造としているため、２箇所以上の曲がり部分でも通過可能となるが、これらの清掃用具は、ロープなどの軟らかい紐で支持するため、ダクトの曲がり部分ではダクト内周側の内壁が紐の支点となってしまい、清掃用具がダクト内周側に偏ってしまい、外周側を十分に清掃できないという問題が生じている。
【００１０】
一方、ブラシ、チューブもしくは風船状の清掃用具の場合には、操作可能な距離が限られるため作業範囲が短く、清掃対象となるダクトに清掃用具を挿入するために作業口を数多く設けなければならないという問題がある。
【００１１】
そこで本発明の第１課題は、小風量の集塵機等であっても、ダクト内に塵埃を残存させることなく、ダクト内面を均一に清掃できるようにするとともに、吹き流し式清掃装置の帯状ヒダをダクト内面に対して効果的に接触させるようにすること、すなわち集塵機等に求められる能力の低減化を図り、かつ十分な清掃効果が期待できる吹き流し式のダクト清掃装置を提供することにある。
【００１２】
次に第２の課題は、ダクトの曲がり部分においても、清掃装置を片側に偏らせることなくダクトの軸芯上に定位させ、内周側、外周側を問わず均一に清掃可能としたダクト清掃装置を提供することにある。
【００１３】
【課題を解決するための手段】
前記第１課題を解決するために請求項１に係る発明として、前後端面が共に開放され筒状を成すとともに、後方側部分に周方向に亘り多数の帯状ヒダが形成され、かつ前端側に紐状部材を介して牽引索が連結された吹き流し式ダクト清掃装置本体と、この吹き流し式ダクト清掃装置本体の内部側に設けられ、かつ前端側が開口されるとともに、後端側が実質的に閉鎖された内袋とからなることを特徴とするダクト清掃装置が提供される。
【００１４】
上記請求項１に係る発明においては、吹き流し式清掃装置本体の内側に別途、内袋を設けるようにした。その結果、ダクト内においてダクト清掃装置の前端側位置と後端側位置との間において静圧差を生じるとともに、流路断面の縮小によってダクトとダクト清掃装置との間隙部（ダクト清掃装置の周囲）に高速気流が発生するようになる。従って、後述するように、小風量であっても、前記高速気流を利用して帯状ヒダをばたつかせ、ダクト内壁に有効に接触させることが可能になるとともに、塵埃を後方側に確実に搬送することが可能となる。
【００１５】
請求項２に係る本発明として、前記吹き流し式ダクト清掃装置本体は、前端側から後端側にかけて口径が漸次拡大された形状を成している請求項１記載のダクト清掃装置が提供される。
【００１６】
請求項３に係る本発明として、前記内袋は前記吹き流し式ダクト清掃装置本体の前端部に一端が連結された複数の紐状部材を介して支持され、かつ前端側から後端側にかけて口径が漸次拡大される拡径部を有する袋形状を成している請求項１，２いずれかに記載のダクト清掃装置が提供される。
【００１７】
請求項４に係る本発明として、前記吹き流し式ダクト清掃装置本体および内袋は、その外形状をダクト形状に対しほぼ相似形としてある請求項１〜３いずれかに記載のダクト清掃装置が提供される。
【００１８】
請求項５に係る本発明として、前記牽引索の連結側端部に連結用リングが設けられ、前記吹き流し式ダクト清掃装置本体の前端部開放面に架け渡された１又は複数の紐状部材が前記連結用リングに挿通されている請求項１〜４いずれかに記載のダクト清掃装置が提供される。
【００１９】
上記請求項５に係る発明においては、牽引索と清掃装置本体との連結部構造に関し、牽引索の連結点が自由に移動可能となるように、連結用リングを介して結合するようにした。従って、ダクトの曲がり部分において牽引索の支点が変化した場合にも、清掃装置本体の開口部を気流方向に向かせ、清掃装置本体をダクトの軸芯上に定位させ得るようになり、曲がり部の内周側および外周側を均一に清掃可能となる。
【００２０】
【発明の実施の形態】
以下、本発明の実施の形態について図面を参照しながら詳述する。
図１は本発明に係るダクト清掃装置１の斜視図、図２はリング１２部分の要部拡大図である。
【００２１】
本ダクト清掃装置１は、主に、後方側周方向周りに多数の帯状ヒダ２ｂ、２ｂ…を備える筒状の吹き流し式ダクト清掃装置本体２（以下、単に清掃装置本体という。）と、この清掃装置本体２の内部側に設けられた内袋３と、前記清掃装置本体２を牽引する牽引ロープ５とから構成されている。
【００２２】
前記清掃装置本体２は、前部側筒部２Ａと後部側の帯状ヒダ部２Ｂとから構成されている。全体形状は、前部および後部が共に開放された筒状体を成すとともに、前端側から後端側にかけて口径が漸次拡大された外形状となっており、後部端から長手方向に沿って全長の約２／３程度の位置まで切り込みを入れることにより、周方向周りに多数の帯状ヒダ２ｂ、２ｂ…が形成されている。前記清掃装置本体２の形状は、必ずしもダクト形状に合わせる必要はないが、好ましくはダクト形状に対しほぼ相似形とするのが望ましい。
【００２３】
前記清掃装置本体２の材質は、前記帯状ヒダ２ｂ、２ｂ…が清掃時にダクト内壁に繰り返し接触することになるので、ある程度の耐摩耗性と十分な可撓性を有するものが使用される。このような物性を持つものであれば素材は限定されないが、例えば皮革や軟質塩化ビニルシート、ナイロンターポリン、ポリエステルターポリン、ターポリン、クロロプレンターポリンなど基布の両面に軟質塩化ビニルやゴムがコーティングされた幌地や、ナイロン、ポリエステル、ビニロン等の高強力合成繊維などを好適に使用することができる。
【００２４】
なお、上記例では前記帯状ヒダ２ｂを前部側筒部２Ａと一体の素材により構成したが、前部側筒部２Ａに対して帯状ヒダ２ｂとなる別部材を縫製やビス等により付設することでもよい。
【００２５】
前記前部側筒部２Ａの前端部には、清掃装置本体２の形状を所定形状、図示例では円形に保持するために開口枠フレーム２ａが設けられている。この開口枠フレーム２ａの材質としては、牽引ロープ５を実質的に支持する部材となること、後述の内袋３を支持する部材となること、さらに清掃時にダクト内壁に頻繁に接触することになる等から、金属や硬質塩化ビニルなどの曲がりにくく、かつ割れにくい高強度の部材が好適に用いられる。
【００２６】
前記開口枠フレーム２ａには、図２に示されるように、正面視でＸ状に交差して連結紐４，４からなる紐状部材が設けられるとともに、前記牽引ロープ５の連結側端部には金属製の連結用リング１２が設けられ、前記連結紐４，４がリング１２に挿通されている。この牽引ロープ５の連結構造は、前記連結用リング１２が連結紐４，４の長さ範囲において自由にスライド可能となっているため、図４に示されるように、ダクト７の曲がり部分において牽引ロープ５の支点が変化した場合にも、清掃装置本体２の開口部を気流方向に向かせ、清掃装置本体２をダクトの芯線上Ｏに定位させ得るようになる。また、清掃時にダクト内部に点在するビス等の突起物に清掃装置本体２の開口枠フレーム２ａが引っ掛かってしまった際にも、牽引ロープ５を引くことにより、前記連結用リング１２がスライドし、引っ掛かった箇所を支点に開口枠フレーム２ａを傾倒させながらダクト内壁から離間させるように作動させることが可能となり、突起物を回避しながら通過することが可能となる。
【００２７】
一方、前記内袋３は、前端部が開口されるとともに、後端部が実質的に閉鎖された袋体とされる。図示例の内袋３は、前端側から後端側にかけて口径が漸次拡大される拡径部を有し、中間の最大径部から後端にかけて円錐状に閉塞する袋形状を成している。前記内袋３の材質としては、前記清掃装置本体２の内部に設けられることから、剛性はさほど必要とせず、布やビニール等の柔軟性を有しかつ軽量のものが好適に用いられる。この内袋３は、後述のように、前記清掃装置本体２の帯状ヒダ２ｂ、２ｂ…を効果的にばたつかせる作用を担うものであり、この機能を満たせば、若干の通気性を有する素材であっても使用が可能である。また、牽引力が過大となる場合には、通気孔を形成し調整するようにしてもよい。なお、内袋３の形状は、前記清掃装置本体２と同様、好ましくはダクト形状に対しほぼ相似形とするのが望ましい。
【００２８】
また前端部には、内袋３を所定形状、図示例では円形に保持するために開口枠フレーム３ａが設けられている。この開口枠フレーム３ａは、補助的なものであるため強い剛性は必要とせず、金属等の他、硬質塩化ビニル、ウレタン製リングなどを用いてもよい。
【００２９】
前記清掃装置本体２とは、一端が清掃装置本体２の開口枠フレーム２ａに緊結され、他端が内袋３の開口枠フレーム３ａに緊結された複数の連結紐６，６…により連結され、該内袋３は前記連結紐６，６…の長さ範囲内において自由に移動可能となっている。
【００３０】
〔作動原理〕
次に、本発明に係るダクト清掃装置１の作動原理について図３に基づいて詳述する。
【００３１】
ダクト内にダクト清掃装置１を配置し風を送ると、前記内袋３は膨張しダクト７断面の大部分を塞ぐようになるため、前記ダクト清掃装置１の前後部に静圧差（Ｐ１ーＰ２）を生じさせる。その結果、この静圧差とともに、前記内袋３による流路断面の縮小によってダクト内壁と内袋３との間に高速気流ＳＡが発生するようになる。従って、このダクト内壁と内袋３との間を流れる気流によってダクト内壁より叩き落とした塵埃を、ダクト清掃装置１の後方側へ確実に搬送することが小風量で可能となる。また、風圧抵抗×内袋３の断面積Ａによって求められる引張力によって、ダクト清掃装置１はダクト内の風に乗ってどこまでも進むことが可能となる。
【００３２】
更に、前記高速気流ＳＡは、清掃装置本体２の帯状ヒダ２ｂ、２ｂ…を有効にはためかせる動力源として利用される。前記内袋３によって流路断面が徐々に縮小化されることにより乱流が生起されるとともに、前記帯状ヒダ２ｂがダクト内壁と内袋３との間を通過する空気に対する弁の効果を果たすことにより、内袋３の外側と、ダクト内壁との間を自由に動きはためくようになる。すなわち、内袋３によって流路断面が徐々に縮小化されることにより、反射流が生じこの反射流の影響によって乱流が生起されるとともに、前記内袋３とダクト内壁との間に発生した高速気流ＳＡは、ダクト７内壁と清掃装置本体２外側との間隙の圧力Ｐ３、および清掃装置本体２の内側と内袋３の外側との間隙の圧力Ｐ４を形成する。この時、内袋３および清掃装置本体２の入口側の傾斜した形状により、Ｐ３＞Ｐ４となって、清掃装置本体２の帯状ヒダ２ｂが内袋３側に引き寄せられると、清掃装置本体２の内側と内袋３の外側との隙間が、前記ダクト７内壁と清掃装置本体２の外側との隙間より小さくなるため、互いの圧力は逆転しＰ４＞Ｐ３となる。Ｐ３がＰ４より低圧となったため帯状ヒダ２ｂがダクト内壁側に引き寄せられると、今度は、ダクト内壁と清掃装置本体２の外側の隙間の方が圧力が小さくなり、圧力の関係はＰ３＞Ｐ４となり再び逆転する。この繰り返しによって、帯状ヒダ２ｂは強制的に波動し、帯状ヒダ２ｂをダクト内壁に対して有効に接触させることが可能となる。
【００３３】
〔清掃方法〕
（第１形態例）
本第１形態例は、図５に示されるように、ダクト清掃にあたって集塵機によりダクト内に気流を発生させる場合の例である。
【００３４】
空調機９とダクト７との境界を仕切板１３により封鎖し、ダクト７の所定箇所に集塵機１０の吸引ホース１１を接続するとともに、ダクト７の所定箇所に設けた挿入口１４よりダクト清掃装置１を挿入する。そして、集塵機１０による吸引によってダクト７内に気流を発生させた状態で、ダクト清掃装置１を牽引ロープ５により操作しながら前記ダクト７内を少しずつ移動させ、帯状ヒダ２ｂによってダクト内面に付着している塵埃８，８…を叩き落し、気流に乗せて集塵機１０により捕集するようにする。
【００３５】
（第２態様例）
本第２形態例は、図６に示されるように、ダクト清掃にあたって空調機を運転しダクト内に気流を発生させる場合の例である。
【００３６】
ダクトの所定箇所に開口部１４，１５を設け、風上側の開口１４よりダクト清掃装置１を挿入した後、牽引ロープ５の隙間を残して封鎖板１６により開口を塞ぐとともに、風下側の開口１５にはバグフィルター１９が設けられたビニールチューブ１８を接続する。また、開口１５の下流側を仕切板１７により封鎖する。
【００３７】
そして、空調機９を運転しダクト７内に気流を発生させた状態で、ダクト清掃装置１を牽引ロープ５により操作しながら少しずつ移動させ、帯状ヒダ２ｂによってダクト内面に付着している塵埃８，８…を叩き落し、塵埃８をバグフィルター１９等のフィルターによって捕集するようにする。
【００３８】
【発明の効果】
以上詳説のとおり本発明によれば、小風量の集塵機等であっても、ダクト内に塵埃を残存させることなく、ダクト内面を均一に清掃できるようになるとともに、吹き流し式清掃装置の帯状ヒダをダクト内面に対して効果的に接触できるようになる。
【００３９】
また、ダクトの曲がり部分においても、清掃装置を片側に偏らせることなくダクトの軸芯上に定位させ、内周側、外周側を問わず均一に清掃可能となる。
【図面の簡単な説明】
【図１】本発明に係るダクト清掃装置１の斜視図である。
【図２】牽引ロープ５の連結部を示す拡大図である。
【図３】ダクト清掃装置１の作動原理を説明するための模式図である。
【図４】ダクト７の曲がり部分におけるダクト清掃装置１の状態図である。
【図５】本ダクト清掃装置１を用いたダクト清掃方法の第１態様例図である。
【図６】本ダクト清掃装置１を用いたダクト清掃方法の第２態様例図である。
【図７】従来の吹き流し式ダクト清掃装置の斜視図である。
【符号の説明】
１…ダクト清掃装置、２…清掃装置本体、２ｂ…帯状ヒダ、３…内袋、４・６…連結紐、５…牽引ロープ、７…ダクト、８…塵埃、９…空調機、１０…集塵機、１２…連結用リング、１６…バグフィルター
【図１】
2005007223.tif 000003
【図２】
2005007223.tif 000004
【図３】
2005007223.tif 000005
【図４】
2005007223.tif 000006
【図５】
2005007223.tif 000007
【図６】
2005007223.tif 000008
【図７】
2005007223.tif 000009